(57)【要約】【課題】  本人のイメージ通りの位置に確実にピアス孔用のマーキングができるようにする。【解決手段】  裏面に接着剤１ｂが塗布された接着式ピアス１を本人のイメージ通りの装着位置になるように調整しながら耳たぶ６に接着し、ピアス本体１ａの略中央にあけた貫通孔１ｃにペン等を挿通して耳たぶ６にマーキングすることにより、イメージ通りの位置に確実にピアス孔用のマーキングができるようにした。【選択図】    図６
2005066241.tif 000002
【特許請求の範囲】
【請求項１】
ピアス本体の裏面に接着剤が塗布され、該接着剤により身体の一部に接着できるように構成された接着式ピアスであって、
上記ピアス本体の略中央に、該ピアス本体の表裏面間にわたって貫通する貫通孔があけられていることを特徴とする接着式ピアス。
【請求項２】
ピアス本体の裏面に該ピアス本体裏面の外形よりも大きな粘着性シートが固着され、該粘着性シートにより身体の一部に接着できるように構成された接着式ピアスであって、
上記ピアス本体の略中央に、該ピアス本体の表裏面間にわたって貫通する貫通孔があけられていることを特徴とする接着式ピアス。
【請求項３】
裏面が粘着面とされた粘着性シートの表面全体に任意模様が印刷されており、該粘着性シートにより身体の一部に接着できるように構成された接着式ピアスであって、
上記粘着性シートの略中央に貫通孔があけられていることを特徴とする接着式ピアス。
【請求項４】
裏面が粘着面とされた粘着性シートの表面の一部に任意模様が印刷されており、該粘着性シートにより身体の一部に接着できるように構成された接着式ピアスであって、
上記粘着性シートの略中央に貫通孔があけられていることを特徴とする接着式ピアス。
【請求項５】
ピアス本体の裏面に接着剤が塗布され、該接着剤により身体の一部に接着できるように構成されたマーキング位置決め具であって、
上記ピアス本体の略中央に、該ピアス本体の表裏面間にわたって貫通する貫通孔があけられていることを特徴とするマーキング位置決め具。
【請求項６】
ピアス本体の裏面に該ピアス本体裏面の外形よりも大きな粘着性シートが固着され、該粘着性シートにより身体の一部に接着できるように構成されたマーキング位置決め具であって、
上記ピアス本体の略中央に、該ピアス本体の表裏面間にわたって貫通する貫通孔があけられていることを特徴とするマーキング位置決め具。
【請求項７】
裏面が粘着面とされた粘着性シートの表面全体に任意模様が印刷されており、該粘着性シートにより身体の一部に接着できるように構成されたマーキング位置決め具であって、
上記粘着性シートの略中央に貫通孔があけられていることを特徴とするマーキング位置決め具。
【請求項８】
裏面が粘着面とされた粘着性シートの表面の一部に任意模様が印刷されており、該粘着性シートにより身体の一部に接着できるように構成されたマーキング位置決め具であって、
上記粘着性シートの略中央に貫通孔があけられていることを特徴とするマーキング位置決め具。
【請求項９】
請求項５乃至８のうち何れか１項に記載されたマーキング位置決め具をその裏面にて身体の一部に接着し、
上記マーキング位置決め具のピアス本体又は粘着性シートにあけられた貫通孔にマーキング用具を挿通して身体に穿孔すべきピアス孔の位置をマーキングすることを特徴とするピアス孔マーキング方法。
【発明の詳細な説明】
【技術分野】
【０００１】
本発明は、接着式ピアス、マーキング位置決め具及びマーキング位置決め具を用いたピアス孔マーキング方法に関するものである。
【背景技術】
【０００２】
身体の一部（例えば、耳たぶや鼻など）に装飾用ピアスを装着するには、その身体の一部にピアスの軸部を挿通するためのピアス孔をあけておく必要がある。そのためには、ピアス針を専用の穿孔器によって打ち出して身体に刺し通し、該ピアス針を身体の反対側で止具に結合させた状態を数週間続ける必要がある。このピアス針として、身体に刺し通すために尖鋭な針部と、該針部の基端に設けられた装飾用ヘッドとから構成されたものが知られている（特許文献１参照）。
【０００３】
ここで、身体にピアス孔をあける際には、ピアス孔をあける予定の位置にあらかじめペン等でマーキングしておき、ピアス針用穿孔器によってこのマーキングした部位に対してピアス針を打ち出すようにしている。
【特許文献１】特開２００２−２８２０２２号公報
【発明の開示】
【発明が解決しようとする課題】
【０００４】
しかし、上述のように、あらかじめマーキングしておいた位置にピアス孔をあけても、実際に装飾用ピアスをその軸部の挿通により取り付けてみると、本人のイメージしていた位置と違っていたり、両耳たぶに装飾用ピアスを装着した場合にきちんと左右対称になっておらずに見た目のバランスが悪くなっていたりすることがある。このような場合には、再度ピアス孔をあけ直さなければならず、穿孔時の痛みを再び伴うとともに、身体に何度もピアス針を刺し通すことで皮膚が炎症を起こしたり化膿したりする恐れがあった。
【０００５】
本発明は、かかる点に鑑みてなされたものであり、その目的とするところは、本人のイメージ通りの位置に確実にピアス孔用のマーキングができるマーキング位置決め具及びそれを用いたピアス孔マーキング方法が得られるようにすることにある。
【課題を解決するための手段】
【０００６】
本発明は、上記課題に対して、接着式ピアスを身体の一部に本人のイメージしている装着位置に変更可能に接着し、その接着位置が本人のイメージしている装着位置に合致した状態で、該接着式ピアスのピアス本体の略中央にあけた貫通孔にペン等のマーキング用具を挿通して身体にマーキングすることにより、イメージ通りの位置に確実にピアス孔用のマーキングができるようにした。
【０００７】
すなわち、請求項１に係る発明は、ピアス本体の裏面に接着剤が塗布され、該接着剤により身体の一部に接着できるように構成された接着式ピアスであって、
上記ピアス本体の略中央に、該ピアス本体の表裏面間にわたって貫通する貫通孔があけられていることを特徴とする。
【０００８】
従って、本発明によれば、接着式ピアスを長期にわたり装着していたとして、その装着部位で発汗しても、ピアス本体の略中央にあけられた貫通孔を通して汗が蒸発するため、該接着式ピアスの装着部位が汗によって蒸れたり皮膚がかぶれたりすることなく清潔な状態を保つことができる。また、発汗による接着剤の接着力の低下が軽減されて該接着式ピアスが偶発的に身体から外れることを防止する上で有利になる。
【０００９】
請求項２に係る発明は、ピアス本体の裏面に該ピアス本体裏面の外形よりも大きな粘着性シートが固着され、該粘着性シートにより身体の一部に接着できるように構成された接着式ピアスであって、
上記ピアス本体の略中央に、該ピアス本体の表裏面間にわたって貫通する貫通孔があけられていることを特徴とする。
【００１０】
従って、本発明においても、接着式ピアスを長期にわたり装着していたとして、その装着部位で発汗しても、ピアス本体の略中央にあけられた貫通孔を通して汗が蒸発するため、該接着式ピアスの装着部位が汗によって蒸れたり皮膚がかぶれたりすることなく清潔な状態を保つことができる。また、発汗による接着剤の接着力の低下が軽減されて該接着式ピアスが偶発的に身体から外れることを防止する上で有利になる。
【００１１】
また、上記ピアス本体の裏面に固着された粘着性シートは該ピアス本体裏面の外形よりも大きいから、該ピアス本体の外形が非常に小さくて持ちにくい場合であっても該粘着性シートを持ちながら接着式ピアスの装着位置の調整をすることができ、位置合わせ作業がやりやすくなるとともにピアス本体を落として紛失してしまうことを防止する上で有利となる。
【００１２】
請求項３に係る発明は、裏面が粘着面とされた粘着性シートの表面全体に任意模様が印刷されており、該粘着性シートにより身体の一部に接着できるように構成された接着式ピアスであって、
上記粘着性シートの略中央に貫通孔があけられていることを特徴とする。
【００１３】
さらに、請求項４に係る発明は、裏面が粘着面とされた粘着性シートの表面の一部に任意模様が印刷されており、該粘着性シートにより身体の一部に接着できるように構成された接着式ピアスであって、
上記粘着性シートの略中央に貫通孔があけられていることを特徴とする。
【００１４】
従って、請求項３又は４に係る発明によれば、接着式ピアスを長期にわたり装着していたとして、その装着部位で発汗しても、粘着性シートの略中央にあけられた貫通孔を通して汗が蒸発するため、該接着式ピアスの装着部位が汗によって蒸れたり皮膚がかぶれたりすることなく清潔な状態を保つことができる。また、発汗による粘着性シートの接着力の低下が軽減されて該接着式ピアスが偶発的に身体から外れることを防止する上で有利になる。
【００１５】
また、上記接着式ピアスは、粘着性シートに任意模様を直接印刷して形成したものであるので、製造コストを大幅に低減することができる。
【００１６】
請求項５に係る発明は、ピアス本体の裏面に接着剤が塗布され、該接着剤により身体の一部に接着できるように構成されたマーキング位置決め具であって、
上記ピアス本体の略中央に、該ピアス本体の表裏面間にわたって貫通する貫通孔があけられていることを特徴とする。
【００１７】
従って、本発明によれば、マーキング位置決め具の装着位置を本人のイメージ通りの位置になるように調整しながら決定し、ピアス本体の貫通孔にペン等のマーキング用具を挿通して身体の一部にマーキングすることで、該マーキング位置決め具の装着位置にピアス孔用のマーキングをすることができる。
【００１８】
請求項６に係る発明は、ピアス本体の裏面に該ピアス本体裏面の外形よりも大きな粘着性シートが固着され、該粘着性シートにより身体の一部に接着できるように構成されたマーキング位置決め具であって、
上記ピアス本体の略中央に、該ピアス本体の表裏面間にわたって貫通する貫通孔があけられていることを特徴とする。
【００１９】
従って、本発明においても、マーキング位置決め具の装着位置を本人のイメージ通りの位置になるように調整しながら決定し、ピアス本体の貫通孔にペン等のマーキング用具を挿通して身体の一部にマーキングすることで、該マーキング位置決め具の装着位置にピアス孔用のマーキングをすることができる。
【００２０】
また、上記ピアス本体の裏面に固着された粘着性シートは該ピアス本体裏面の外形よりも大きいから、該ピアス本体の外形が非常に小さくて持ちにくい場合であっても該粘着性シートを持ちながらマーキング位置決め具の装着位置の調整をすることができ、位置合わせ作業がやりやすくなるとともにピアス本体を落として紛失してしまうことを防止する上で有利となる。
【００２１】
請求項７に係る発明は、裏面が粘着面とされた粘着性シートの表面全体に任意模様が印刷されており、該粘着性シートにより身体の一部に接着できるように構成されたマーキング位置決め具であって、
上記粘着性シートの略中央に貫通孔があけられていることを特徴とする。
【００２２】
また、請求項８に係る発明は、裏面が粘着面とされた粘着性シートの表面の一部に任意模様が印刷されており、該粘着性シートにより身体の一部に接着できるように構成されたマーキング位置決め具であって、
上記粘着性シートの略中央に貫通孔があけられていることを特徴とする。
【００２３】
従って、請求項７又は８に係る発明によれば、マーキング位置決め具の装着位置を本人のイメージ通りの位置になるように調節しながら決定し、粘着性シートの貫通孔にペン等のマーキング用具を挿通して身体の一部にマーキングすることで、該マーキング位置決め具の装着位置にピアス孔用のマーキングをすることができる。
【００２４】
また、上記マーキング位置決め具は、粘着性シートに任意模様を直接印刷して形成したものであるので、製造コストを大幅に低減することができる。
【００２５】
請求項９に係る発明は、請求項５乃至８のうち何れか１項に記載されたマーキング位置決め具をその裏面にて身体の一部に接着し、
上記マーキング位置決め具のピアス本体又は粘着性シートにあけられた貫通孔にマーキング用具を挿通して身体に穿孔すべきピアス孔の位置をマーキングすることを特徴とする。
【００２６】
従って、本発明によれば、上記マーキング位置決め具は、ピアス本体の裏面の接着剤又は粘着性シートにより身体の一部に接着するものであるから、該マーキング位置決め具の装着位置を本人のイメージ通りの位置になるように調整しながら決定することができる。そして、この決定後、マーキング位置決め具の貫通孔にペン等のマーキング用具を挿通して身体の一部にマーキングすることで、本人のイメージ通りの位置に確実にピアス孔用のマーキングをすることができる。これにより、ピアス孔を穿孔してからイメージ通りの位置でなかったことに気づいて再度ピアス孔を穿孔し直すといった事態を避けることができる。
【００２７】
好ましいのは、実際に装着予定の装飾用ピアスと略同形状のピアス本体を有するマーキング位置決め具を用いて装着位置を決定することである。これにより、装着予定の装飾用ピアスを身体の一部に装着したときのイメージをつかみやすくなり、より確実に本人のイメージ通りの位置にピアス孔用のマーキングをすることができる。
【発明の効果】
【００２８】
以上のように請求項１に係る発明によれば、接着式ピアスを長期にわたり装着していたとして、その装着部位で発汗しても、ピアス本体の略中央にあけられた貫通孔を通して汗が蒸発するため、該接着式ピアスの装着部位が汗によって蒸れたり皮膚がかぶれたりすることなく清潔な状態を保つことができる。また、発汗による接着剤の接着力の低下が軽減されて該接着式ピアスが偶発的に身体から外れることを防止する上で有利になる。
【００２９】
請求項２に係る発明によれば、接着式ピアスを長期にわたり装着していたとして、その装着部位で発汗しても、ピアス本体の略中央にあけられた貫通孔を通して汗が蒸発するため、該接着式ピアスの装着部位が汗によって蒸れたり皮膚がかぶれたりすることなく清潔な状態を保つことができる。また、発汗による接着剤の接着力の低下が軽減されて該接着式ピアスが偶発的に身体から外れることを防止する上で有利になる。
【００３０】
また、上記ピアス本体の裏面に固着された粘着性シートは該ピアス本体裏面の外形よりも大きいから、該ピアス本体の外形が非常に小さくて持ちにくい場合であっても該粘着性シートを持ちながら接着式ピアスの装着位置の調整をすることができ、位置合わせ作業がやりやすくなるとともにピアス本体を落として紛失してしまうことを防止する上で有利となる。
【００３１】
請求項３又は４に係る発明によれば、接着式ピアスを長期にわたり装着していたとして、その装着部位で発汗しても、粘着性シートの略中央にあけられた貫通孔を通して汗が蒸発するため、該接着式ピアスの装着部位が汗によって蒸れたり皮膚がかぶれたりすることなく清潔な状態を保つことができる。また、発汗による粘着性シートの接着力の低下が軽減されて該接着式ピアスが偶発的に身体から外れることを防止する上で有利になる。
【００３２】
また、上記接着式ピアスは、粘着性シートに任意模様を直接印刷して形成したものであるので、製造コストを大幅に低減することができる。
【００３３】
請求項５に係る発明によれば、マーキング位置決め具のピアス本体の貫通孔にペン等のマーキング用具を挿通して身体の一部にマーキングすることで、本人のイメージ通りの装着位置を容易に見いだして、その位置にピアス孔用のマーキングをすることができる。
【００３４】
請求項６に係る発明によれば、ピアス本体の裏面に固着された粘着性シートは該ピアス本体裏面の外形よりも大きいから、該ピアス本体の外形が非常に小さくて持ちにくい場合であっても該粘着性シートを持ちながらマーキング位置決め具の装着位置の調整をすることができ、位置合わせ作業がやりやすくなるとともにピアス本体を落として紛失してしまうことを防止する上で有利となる。また、マーキング位置決め具のピアス本体の貫通孔にペン等のマーキング用具を挿通して身体の一部にマーキングすることで、本人のイメージ通りの装着位置を容易に見いだして、その位置にピアス孔用のマーキングをすることができる。
【００３５】
請求項７又は８に係る発明によれば、本人のイメージ通りの位置にピアス孔用のマーキングをすることができる。また、このマーキング位置決め具は、粘着性シートに任意模様を直接印刷して形成したものであるので、製造コストを大幅に低減することができる。
【００３６】
請求項９に係る発明によれば、ピアス本体の裏面の接着剤又は粘着性シートにより身体の一部に接着するものであるから、該接着式ピアスの装着位置を本人のイメージ通りの位置になるように調整しながら決定することができる。そして、この決定後、ピアス本体の貫通孔にペン等のマーキング用具を挿通して身体の一部にマーキングすることで本人のイメージ通りの位置に確実にピアス孔用のマーキングをすることができる。これにより、ピアス孔を穿孔してからイメージ通りの位置でなかったことに気づいて再度ピアス孔を穿孔し直すといった事態を避けることができる。
【発明を実施するための最良の形態】
【００３７】
以下、本発明の実施の形態を図面に基づいて説明する。
【００３８】
−実施形態１−
図１（ａ）は本実施形態１に係る接着式ピアス１の平面図、図１（ｂ）は接着式ピアス１の正面図、図１（ｃ）は接着式ピアス１の底面図である。
【００３９】
上記接着式ピアス１は、半球体状に形成されたピアス本体１ａを備え、その裏面には接着剤１ｂが塗布され、ピアス本体１ａの略中央には表裏面に貫通する貫通孔１ｃがあけられている。この貫通孔１ｃは、ピアス本体１ａの表面側から裏面側に行くにしたがって内径が小さくなるようにテーパー状に形成されている。
【００４０】
なお、接着式ピアス１のピアス本体１ａの外観形状としては、図１に示すもの以外にも様々な形状のものが考えられる。以下、接着式ピアス１のピアス本体１ａの他の形状について図２〜図４に基づいて説明する。
【００４１】
図２（ａ）〜（ｃ）に示す接着式ピアス２は、円柱状に形成されたピアス本体２ａの裏面に接着剤２ｂが塗布されてなり、ピアス本体２ａの略中央には表裏面に貫通孔２ｃがあけられている。この貫通孔２ｃは、ピアス本体２ａの表面側から裏面側に行くにしたがって内径が小さくなるようにテーパー状に形成されている。
【００４２】
図３（ａ）〜（ｃ）に示す接着式ピアス３は、円柱状部材の表面側の円周を八等分して各々の周縁が該円柱状部材の裏面側に向かうように斜めにカットされ、これにより該円柱状部材の表面側に略正八角形の平坦部が形成された、いわゆるダイヤモンド形状をなすピアス本体３ａの裏面に接着剤３ｂが塗布されてなり、ピアス本体３ａの略中央には表裏面に貫通する貫通孔３ｃがあけられている。この貫通孔３ｃは、ピアス本体３ａの表面側から裏面側に行くにしたがって内径が小さくなるようにテーパー状に形成されている。
【００４３】
図４（ａ）〜（ｃ）に示す接着式ピアス４は、略正六角柱状に形成されたピアス本体４ａの裏面に接着剤４ｂが塗布されてなり、ピアス本体４ａの略中央には表裏面に貫通する貫通孔４ｃがあけられている。この貫通孔４ｃは、ピアス本体４ａの表面側から裏面側に行くにしたがって内径が小さくなるようにテーパー状に形成されている。
【００４４】
なお、図１〜図４に示す上記ピアス本体１ａ〜４ａの外観形状は、あくまで一例であり上記形状のみに限定するものではなく、その他にも様々な形状のものを採用することができる。また、ピアス本体１ａ〜４ａの貫通孔１ｃ〜４ｃは、いずれも上記テーパー形状に限らず、同じ内径のまま真っ直ぐに貫通させた孔であっても構わない。また、デザイン性を考慮して平面視略三角形や四角形等、任意の形状で貫通させた孔であっても構わない。
【００４５】
また、上記ピアス本体１ａ〜４ａを構成する材料として、樹脂、ガラス、紙、金属、プラスチック、ポリエステル、フィルムシート等を用いることができる。
【００４６】
また、接着式ピアス１〜４の接着剤１ｂ〜４ｂは、接着面を剥き出しにしておくとその接着力が弱まるため、接着式ピアス１〜４を使用しないときには、その接着剤１ｂ〜４ｂの表面に剥離シート（図示せず）が剥離自在に接着されている。
【００４７】
上記接着式ピアス１〜４は、お洒落を楽しむための装身具としてそのまま装着することができる。その場合、接着式ピアス１のピアス本体１ａの略中央に貫通孔１ｃがあけられているから、接着式ピアス１の装着部位で発汗しても、該貫通孔１ｃを通して汗が蒸発することとなり、該接着式ピアス１の装着部位が汗によって蒸れたり皮膚がかぶれたりすることなく清潔な状態を保つことができる。しかも、発汗による接着剤１ｂの接着力の低下が軽減されることにもなり、該接着式ピアス１が偶発的に耳たぶ６から外れることを防止する上で有利になる。
【００４８】
それだけではなく、上記接着式ピアス１〜４は、ピアス本体１ａ〜４ａの略中央にあけられた貫通孔１ｃ〜４ｃを利用して装飾用ピアス（図示せず）を取り付けるピアス孔の位置決め用のマーキングをするためのマーキング位置決め具として使用することもできる。以下に、上記接着式ピアス１をマーキング位置決め具として用いたピアス孔マーキング方法について説明する。
【００４９】
図５又は図６に示すように、接着式ピアス１の裏面の接着面に剥離自在に接着された剥離シート（図示せず）を剥がして接着剤１ｂの接着面を剥き出しにし、接着式ピアス１を裏面の接着剤１ｂにて身体の一部、例えば耳たぶ６において装飾用ピアス（図示せず）を装着しようとする予定の位置に接着する。このとき、実際に装着予定の装飾用ピアスと略同形状のピアス本体１ａを有する接着式ピアス１を用いて耳たぶ６に接着すると、装飾用ピアスを取り付けたときのイメージをつかみやすくなり、より好ましい。
【００５０】
このようにして、装着予定位置を種々に変更して目的の装着予定位置が決まると、接着式ピアス１を耳たぶ６に接着した状態のままで、そのピアス本体１ａの略中央にあけられた貫通孔１ｃにペン等のマーキング用具をピアス本体１ａの表側から通して、そのマーキング用具により耳たぶ６にマーキングを施す。そして、このマーキング完了後、接着式ピアス１を耳たぶ６から取り外し、マーキングした部位を目印にしてピアス用穿孔器（図示せず）を用いて耳たぶ６にピアス孔を穿孔すればよい。
【００５１】
こうしてピアス本体１ａの貫通孔１ｃにマーキング用具を挿通して耳たぶ６にマーキングすることで、上記接着式ピアス１の装着位置にピアス孔用のマーキングをすることができる。そのとき、貫通孔１ｃがピアス本体１ａの表面側から裏面側に行くにしたがって内径が小さくなるようにテーパー状に形成されているから、該貫通孔１ｃにマーキング用具を挿通する際にその先端が挿入しやすく、耳たぶ６側ではマーキング用具の先端が位置決めされることになり、より正確な位置にマーキングすることができる。
【００５２】
−実施形態２−
図７（ａ）は本実施形態２に係る接着式ピアス１１の平面図、図７（ｂ）は接着式ピアス１１の正面図、図７（ｃ）は接着式ピアス１１の底面図である。
【００５３】
接着式ピアス１１は、半球体状に形成されたピアス本体１１ａと、その裏面に固着され、ピアス本体１１ａ裏側の外形よりも大きな粘着性シート１１ｂとからなり、ピアス本体１１ａの略中央には表裏面に貫通した貫通孔１１ｃがあけられている。この貫通孔１１ｃは、ピアス本体１１ａの表面側から裏面側に行くにしたがって内径が小さくなるようにテーパー状に形成されている。そして、上記粘着性シート１１ｂにも、ピアス本体１１ａの貫通孔１１ｃに対応した位置に孔があけられている。
【００５４】
なお、接着式ピアス１１のピアス本体１１ａの外観形状としては、図７に示すもの以外にも様々な形状のものが考えられる。以下、接着式ピアス１１のピアス本体１１ａの他の形状について図８〜図１０に基づいて説明する。
【００５５】
図８（ａ）〜（ｃ）に示す接着式ピアス１２は、円柱状に形成されたピアス本体１２ａの裏面にピアス本体１２ａ裏側の外形よりも大きな粘着性シート１２ｂが固着されてなり、ピアス本体１２ａの略中央には表裏面に貫通した貫通孔１２ｃがあけられている。この貫通孔１２ｃは、ピアス本体１２ａの表面側から裏面側に行くにしたがって内径が小さくなるようにテーパー状に形成されている。そして、上記粘着性シート１２ｂにも、ピアス本体１２ａの貫通孔１２ｃに対応した位置に孔があけられている。
【００５６】
図９（ａ）〜（ｃ）に示す接着式ピアス１３は、円柱状部材の表面側の円周を八等分して各々の周縁が該円柱状部材の裏面側に向かうように斜めにカットされ、これにより該円柱状部材の表面側に略正八角形の平坦部が形成された、いわゆるダイヤモンド形状をなすピアス本体１３ａの裏面にピアス本体１３ａ裏側の外形よりも大きな粘着性シート１３ｂが固着されてなり、ピアス本体１３ａの略中央には表裏面に貫通した貫通孔１３ｃがあけられている。この貫通孔１３ｃは、ピアス本体１３ａの表面側から裏面側に行くにしたがって内径が小さくなるようにテーパー状に形成されている。そして、上記粘着性シート１３ｂにも、ピアス本体１３ａの貫通孔１３ｃに対応した位置に孔があけられている。
【００５７】
図１０（ａ）〜（ｃ）に示す接着式ピアス１４は、略正六角柱状に形成されたピアス本体１４ａの裏面にピアス本体１４ａ裏側の外形よりも大きな粘着性シート１４ｂが固着されてなり、ピアス本体１４ａの略中央には表裏側に貫通した貫通孔１４ｃがあけられている。この貫通孔１４ｃは、ピアス本体１４ａの表面側から裏面側に行くにしたがって内径が小さくなるようにテーパー状に形成されている。そして、上記粘着性シート１４ｂにも、ピアス本体１４ａの貫通孔１４ｃに対応した位置に孔があけられている。
【００５８】
なお、図７〜図１０に示す上記ピアス本体１１ａ〜１４ａの外観形状は、あくまで一例であり上記形状に限定するものではなく、その他にも様々な形状のものを採用することができる。また、ピアス本体１１ａ〜１４ａの貫通孔１１ｃ〜１４ｃは、いずれも上記テーパー形状に限らず、同じ内径のまま真っ直ぐに貫通させた孔であっても構わない。また、デザイン性を考慮して平面視略三角形や四角形等、任意の形状で貫通させた孔であっても構わない。
【００５９】
また、上記ピアス本体１１ａ〜１４ａを構成する材料として、樹脂、ガラス、紙、金属、プラスチック、ポリエステル、フィルムシート等を用いることができる。そして、接着式ピアス１１〜１４の粘着性シート１１ｂ〜１４ｂを構成する材料として、樹脂、ガラス、紙、金属、プラスチック、ポリエステル、フィルムシート等を用いることができる。
【００６０】
また、粘着性シート１１ｂ〜１４ｂの接着面を剥き出しにしておくとその接着力が弱まるため、接着式ピアス１１〜１４を使用しないときには、その粘着性シート１１ｂ〜１４ｂの粘着面に剥離シート（図示せず）が剥離自在に接着されている。
【００６１】
上記接着式ピアス１１〜１４は、お洒落を楽しむための装身具としてそのまま装着することができる。その場合、接着式ピアス１１のピアス本体１１ａの略中央に貫通孔１１ｃがあけられているから、接着式ピアス１１の装着部位で発汗しても、該貫通孔１１ｃを通して汗が蒸発することとなり、該接着式ピアス１１の装着部位が汗によって蒸れたり皮膚がかぶれたりすることなく清潔な状態を保つことができる。しかも、発汗による接着剤１１ｂの接着力の低下が軽減されることにもなり、該接着式ピアス１１が偶発的に耳たぶ６から外れることを防止する上で有利になる。
【００６２】
それだけではなく、上記接着式ピアス１１〜１４は、ピアス本体１１ａ〜１４ａの略中央にあけられた貫通孔１１ｃ〜１４ｃを利用して装飾用ピアス（図示せず）を取り付けるピアス孔の位置決め用のマーキングをするためのマーキング位置決め具として使用することもできる。以下に、上記接着式ピアス１１をマーキング位置決め具として用いたピアス孔マーキング方法について説明する。
【００６３】
図１１に示すように、接着式ピアス１１の裏面の接着面に剥離自在に接着された剥離シート（図示せず）を剥がして粘着性シート１１ｂの接着面を剥き出しにし、接着式ピアス１１を粘着シート１１ｂにて身体の一部、例えば耳たぶ６において装飾用ピアス（図示せず）を装着しようとする予定の位置に接着する。このとき、実際に装着予定の装飾用ピアスと略同形状のピアス本体１１ａを有する接着式ピアス１１を用いて耳たぶ６に接着すると、装飾用ピアスを取り付けたときのイメージをつかみやすくなり、より好ましい。
【００６４】
次に、このようにして装着予定位置を種々に変更して目的の装着予定位置が決まると、接着式ピアス１１を耳たぶ６に上記接着状態のままで、そのピアス本体１１ａの略中央にあけられた貫通孔１１ｃにペン等のマーキング用具をピアス本体１１ａの表側から通して、そのマーキング用具によりで耳たぶ６にマーキングを施す。そして、このマーキング完了後、接着式ピアス１１を耳たぶ６から取り外し、マーキングした部位を目印にしてピアス用穿孔器（図示せず）を用いて耳たぶ６にピアス孔を穿孔すればよい。
【００６５】
以上により、本実施形態２に係る接着式ピアス１１によれば、ピアス本体１１ａの貫通孔１１ｃにペン等のマーキング用具を挿通して耳たぶ６にマーキングすることで、上記接着式ピアス１１の装着位置にピアス孔用のマーキングをすることができる。さらに、貫通孔１１ｃがピアス本体１１ａの表面側から裏面側に行くにしたがって内径が小さくなるようにテーパー状に形成されているから、該貫通孔１１ｃにマーキング用具を挿通する際にその先端が挿入しやすく、耳たぶ６側ではマーキング用具の先端が位置決めされることになり、より正確な位置にマーキングすることができる。
【００６６】
また、上記ピアス本体１１ａの裏面に固着された粘着性シート１１ｂはピアス本体１１ａの外形よりも大きいから、ピアス本体１１ａの外形が非常に小さくて持ちにくい場合であっても粘着性シート１１ｂを持ちながら接着式ピアス１１の装着位置の調整をすることができ、位置合わせ作業がやりやすくなるとともにピアス本体１１ａを落として紛失してしまうことを防止する上で有利となる。
【００６７】
−実施形態３−
図１２（ａ）は本実施形態３に係る接着式ピアス２１の平面図、図１２（ｂ）は接着式ピアス２１の正面図、図１２（ｃ）は接着式ピアス２１の底面図である。
【００６８】
接着式ピアス２１は、裏面が粘着面であって円形状に形成された粘着性シート２１ａの表面全体に任意模様２１ｂが印刷されてなり、粘着性シート２１ａの略中央には貫通孔２１ｃがあけられている。
【００６９】
なお、接着式ピアス２１の粘着性シート２１ａ及び任意模様２１ｂの外観形状としては、図１２に示すもの以外にも様々な形状のものが考えられる。以下、接着式ピアス２１の粘着性シート２１ａ及び任意模様２１ｂの他の形状について図１３〜図１５に基づいて説明する。
【００７０】
図１３（ａ）〜（ｃ）に示す接着式ピアス２２は、裏面が粘着面であって略正六角形状に形成された粘着性シート２２ａの表面全体に任意模様２２ｂが印刷されてなり、粘着性シート２２ａの略中央には貫通孔２２ｃがあけられている。
【００７１】
図１４（ａ）〜（ｃ）に示す接着式ピアス２３は、裏面が粘着面であって円形状に形成された粘着性シート２３ａの表面に粘着性シート２３ａの外径よりも小さな円形状の任意模様２３ｂが印刷されてなり、粘着性シート２３ａに印刷された任意模様２３ｂの略中央には貫通孔２３ｃがあけられている。
【００７２】
図１５（ａ）〜（ｃ）に示す接着式ピアス２４は、裏面が粘着面であって円形状に形成された粘着性シート２４ａの表面に粘着性シート２４ａの外径よりも小さな略正六角形状の任意模様２４ｂが印刷されてなり、粘着性シート２４ａに印刷された任意模様２４ｂの略中央には貫通孔２４ｃがあけられている。
【００７３】
なお、図１２〜図１５に示す上記粘着性シート２１ａ〜２４ａ及び任意模様２１ｂ〜２４ｂの外観形状は、あくまで一例であり上記形状に限定するものではなく、その他にも様々な形状のものを採用することができる。また、粘着性シート２１ａ〜２４ａの貫通孔２１ｃ〜２４ｃは、円形状に限らず、デザイン性を考慮して平面視略三角形や四角形等、任意の形状で貫通させた孔であっても構わない。
【００７４】
また、上記接着式ピアス２１〜２４の粘着性シート２１ａ〜２４ａを構成する材料として、樹脂、ガラス、紙、金属、プラスチック、ポリエステル、フィルムシート等を用いることができる。
【００７５】
また、粘着性シート２１ａ〜２４ａの接着面を剥き出しにしておくとその接着力が弱まるため、接着式ピアス２１〜２４を使用しないときには、その粘着性シート２１ａ〜２４ａの粘着面に剥離シート（図示せず）が剥離自在に接着されている。
【００７６】
このように形成された上記接着式ピアス２１〜２４は、粘着性シート２１ａ〜２４ａに任意模様２１ｂ〜２４ｂを直接印刷したものであるので、製造コストを大幅に低減することができる。
【００７７】
上記接着式ピアス２１〜２４は、お洒落を楽しむための装身具としてそのまま装着することができる。その場合、接着式ピアス２１の粘着性シート２１ａの略中央に貫通孔２１ｃがあけられているから、接着式ピアス２１の装着部位で発汗しても、該貫通孔２１ｃを通して汗が蒸発することとなり、該接着式ピアス２１の装着部位が汗によって蒸れたり皮膚がかぶれたりすることなく清潔な状態を保つことができる。しかも、発汗による粘着性シート２１ａの接着力の低下が軽減されることにもなり、該接着式ピアス２１が偶発的に耳たぶから外れることを防止する上で有利になる。
【００７８】
それだけではなく、上記接着式ピアス２１〜２４は、粘着性シート２１ａ〜２４ａの略中央にあけられた貫通孔２１ｃ〜２４ｃを利用して装飾用ピアス（図示せず）を取り付けるピアス孔の位置決め用のマーキングをするためのマーキング位置決め具として使用することもできる。このマーキング方法は、実施形態１又は２と同様であり、接着式ピアス２１〜２４を耳たぶに接着した状態で、貫通孔２１ｃ〜２４ｃにペン等のマーキング用具を通して耳たぶにマーキングを施すというものである。
【図面の簡単な説明】
【００７９】
【図１】（ａ）本発明の実施形態１に係る接着式ピアスの平面図である。（ｂ）本発明の実施形態１に係る接着式ピアスの正面図である。（ｃ）本発明の実施形態１に係る接着式ピアスの底面図である。
【図２】（ａ）本発明の実施形態１に係る接着式ピアスの他の実施例を示す平面図である。（ｂ）本発明の実施形態１に係る接着式ピアスの他の実施例を示す正面図である。（ｃ）本発明の実施形態１に係る接着式ピアスの他の実施例を示す底面図である。
【図３】（ａ）本発明の実施形態１に係る接着式ピアスの他の実施例を示す平面図である。（ｂ）本発明の実施形態１に係る接着式ピアスの他の実施例を示す正面図である。（ｃ）本発明の実施形態１に係る接着式ピアスの他の実施例を示す底面図である。
【図４】（ａ）本発明の実施形態１に係る接着式ピアスの他の実施例を示す平面図である。（ｂ）本発明の実施形態１に係る接着式ピアスの他の実施例を示す正面図である。（ｃ）本発明の実施形態１に係る接着式ピアスの他の実施例を示す底面図である。
【図５】本発明の実施形態１に係る接着式ピアスを耳たぶに取り付けた状態を示す正面図である。
【図６】本発明の実施形態１に係る接着式ピアスを耳たぶに取り付けた状態を示す側面図である。
【図７】（ａ）本発明の実施形態２に係る接着式ピアスの平面図である。（ｂ）本発明の実施形態２に係る接着式ピアスの正面図である。（ｃ）本発明の実施形態２に係る接着式ピアスの底面図である。
【図８】（ａ）本発明の実施形態２に係る接着式ピアスの他の実施例を示す平面図である。（ｂ）本発明の実施形態２に係る接着式ピアスの他の実施例を示す正面図である。（ｃ）本発明の実施形態２に係る接着式ピアスの他の実施例を示す底面図である。
【図９】（ａ）本発明の実施形態２に係る接着式ピアスの他の実施例を示す平面図である。（ｂ）本発明の実施形態２に係る接着式ピアスの他の実施例を示す正面図である。（ｃ）本発明の実施形態２に係る接着式ピアスの他の実施例を示す底面図である。
【図１０】（ａ）本発明の実施形態２に係る接着式ピアスの他の実施例を示す平面図である。（ｂ）本発明の実施形態２に係る接着式ピアスの他の実施例を示す正面図である。（ｃ）本発明の実施形態２に係る接着式ピアスの他の実施例を示す底面図である。
【図１１】本発明の実施形態２に係る接着式ピアスを耳たぶに取り付けた状態を示す正面図である。
【図１２】（ａ）本発明の実施形態３に係る接着式ピアスの実施例を示す平面図である。（ｂ）本発明の実施形態３に係る接着式ピアスの実施例を示す正面図である。（ｃ）本発明の実施形態３に係る接着式ピアスの実施例を示す底面図である。
【図１３】（ａ）本発明の実施形態３に係る接着式ピアスの他の実施例を示す平面図である。（ｂ）本発明の実施形態３に係る接着式ピアスの他の実施例を示す正面図である。（ｃ）本発明の実施形態３に係る接着式ピアスの他の実施例を示す底面図である。
【図１４】（ａ）本発明の実施形態３に係る接着式ピアスの他の実施例を示す平面図である。（ｂ）本発明の実施形態３に係る接着式ピアスの他の実施例を示す正面図である。（ｃ）本発明の実施形態３に係る接着式ピアスの他の実施例を示す底面図である。
【図１５】（ａ）本発明の実施形態３に係る接着式ピアスの他の実施例を示す平面図である。（ｂ）本発明の実施形態３に係る接着式ピアスの他の実施例を示す正面図である。（ｃ）本発明の実施形態３に係る接着式ピアスの他の実施例を示す底面図である。
【符号の説明】
【００８０】
１    接着式ピアス
１ａ  ピアス本体
１ｂ  接着剤
１ｃ  貫通孔
１１    接着式ピアス
１１ａ  ピアス本体
１１ｂ  粘着性シート
１１ｃ  貫通孔
２１    接着式ピアス
２１ａ  粘着性シート
２１ｂ  任意模様
２１ｃ  貫通孔
【図１】
2005066241.tif 000003
【図２】
2005066241.tif 000004
【図３】
2005066241.tif 000005
【図４】
2005066241.tif 000006
【図５】
2005066241.tif 000007
【図６】
2005066241.tif 000008
【図７】
2005066241.tif 000009
【図８】
2005066241.tif 000010
【図９】
2005066241.tif 000011
【図１０】
2005066241.tif 000012
【図１１】
2005066241.tif 000013
【図１２】
2005066241.tif 000014
【図１３】
2005066241.tif 000015
【図１４】
2005066241.tif 000016
【図１５】
2005066241.tif 000017